(57)【要約】【課題】組立作業性が良い照明装置を提供すること。【解決手段】本発明に係る照明装置は、複数のLED素子を光源として備えて光を照射する光源基板６と、前記光源基板６の熱を放熱する反射板５と、点灯状態の切り替えを行うためのプルスイッチ９と、プルスイッチ格納機能及びスイッチアーム機能を有したプルスイッチカバー１０とを有することを特徴とする。【選択図】図１
2019129101.tif 000002
【特許請求の範囲】
【請求項１】
複数のLED素子が搭載された光源基板と、前記光源基板の熱を放熱する反射板と、点灯状態の切り替えを行うためのプルスイッチと、前記プルスイッチを格納する機能及び前記プルスイッチに接続される引き紐１１を作用させるためのスイッチアーム機能を有したプルスイッチカバーとを有することを特徴とする照明装置。
【請求項２】
請求項１に記載の照明装置において、前記プルスイッチカバーによって防虫構造を有することを特徴とする照明装置。
【請求項３】
前記プルスイッチカバーにおいて、組立時に引き紐の通過確認を行うことができる四角穴を有することを特徴とする請求項１に記載の照明装置。
【請求項４】
前記プルスイッチカバーにおいて、強度を保つための保持部を有することを特徴とする請求項１に記載の照明装置。
【発明の詳細な説明】
【技術分野】
【０００１】
本発明は、LED(Light Emitting Diode)素子を光源として備えるLED照明装置に関するものである。
【背景技術】
【０００２】
従来、照明器具においてプルスイッチを用いて点灯状態を切り替える機能を有した照明器具が知られている。
例えば特許文献１では、プルスイッチから延長される引き紐を、引き紐アームを介して引っ張ることで、点灯状態を切り替えることが開示されている。
【先行技術文献】
【特許文献】
【０００３】
【特許文献１】特開2002-8434号公報
【発明の概要】
【発明が解決しようとする課題】
【０００４】
特許文献１に記載の照明器具では、点灯状態の切り替えを実現するために、プルスイッチと、引き紐と、引き紐アームと、引き紐アーム取付部と、プルスイッチから延長される引き紐を本体内から本体外へ出すための開口部とを有している。このような照明器具で、プルスイッチによる点灯状態の切り替えを行うためには、プルスイッチから延長される引き紐を作用させるためのスイッチアーム機能を有する引き紐アームと、前記引き紐アームの固定及び、引き紐が通るための開口部を閉塞し、プルスイッチユニットを格納するための引き紐アーム取付部が必要となる。そのため、プルスイッチを用いた点灯状態の切り替えを実現するための部品が多くなり、コストの増加や組立作業性の悪化の要因となる恐れがある。
本発明では、前述の課題を解決し、低コストかつ組立作業性の良いLED照明器具の提供を目的とするものである。
【課題を解決するための手段】
【０００５】
本発明は、複数のLED素子を光源として備えて光を照射する光源基板と、前記光源基板の熱を放熱する反射板と、点灯状態の切り替えを行うためのプルスイッチと、プルスイッチ格納機能及びスイッチアーム機能を有したプルスイッチカバーとを有し、プルスイッチから延長される引き紐を引っ張ることで点灯状態の切り替えを行うことを特徴とする。
【発明の効果】
【０００６】
本発明では、プルスイッチを格納するためのカバーとスイッチアームとを一体化し、部品点数を抑えたプルスイッチ付のLED照明器具を提供することができる。
これにより、コスト低減を図るとともに、組立作業性の良いLED照明器具を提供することができる。
【図面の簡単な説明】
【０００７】
【図１】本発明の実施形態に係るLED照明装置を示す図であり、斜め下方向から見たときの状態を示す外観斜視図である。
【図２】LED照明装置を斜め上方向から見たときの状態を示す外観斜視図である。
【図３】LED照明装置を斜め下方向から見たときの状態を示す分解斜視図である。
【図４】プルスイッチカバーの取り付け部を示した図である。
【図５】プルスイッチカバーの組立て状態の詳細図を示した図である。
【図６】天井側方向から見たときのプルスイッチカバーの拡大図を示した図である。
【発明を実施するための形態】
【０００８】
次に、本発明の実施形態に係るLED照明装置(LEDシーリングライト)について説明する。なお、本実施形態では、LED照明装置１の一例をして、平面視して円形のものを例に挙げて説明するが、形状はこれに限定されず、例えば、四角形、六角形、八角形等の多角形のものにも提供することもできる。また、本実施形態では、以下、主照明用光源としてLEDを用いたLED照明装置１として説明するが、主照明光源はLEDに限定されるものではない。
【０００９】
図３に示すように、LED照明装置１は、バックボーン２、絶縁板３、電源基板４、反射板５、LED光源基板６、LEDカバー７、透光カバー８、プルスイッチ９、プルスイッチカバー１０、引き紐１１を備えて構成されている。プルスイッチ９を格納するためのカバーとスイッチアームとを一体化することで、コスト低減を図るとともに、組立作業性の良いLED照明器具を提供することができる。
【００１０】
バックボーン２は、略円形状の鋼板部品であり、中央部には取付けアダプタ(図示省略)を係止させるための取付け孔２aを有している。また、各部品及びプルスイッチを固定するためのねじ穴と、プルスイッチ９から延長される引き紐を本体外へ出すことができると同時に、プルスイッチカバー１０を挿し込み固定するための、開口部２bを有する。また、プルスイッチカバー１０を固定するためのねじ穴を有する（図示なし）。
【００１１】
絶縁板３は、難燃性及び電気絶縁性を有する構成樹脂で形成され、バックボーン２にねじで固定される。また、絶縁板３はLED照明装置１を天井面や所定位置に固定し、取付けアダプタに接続するための筒状の突起３aを有する。
【００１２】
電源基板４は、制御部を含む点灯回路を有し、絶縁板３を介してバックボーン２にねじ止めされている。絶縁板３を介することで、電気絶縁性を維持した状態で配置される。また、電源基板４から電線(図示省略)を介して取付けアダプタと電気的に接続される。さらに、プルスイッチ９と電源基板４は電線により接続され、プルスイッチ９を介することでLED光源基板６の点灯状態を切り替えることができる。
【００１３】
反射板５は、略円形状の鋼板部品であり、中央部には、バックボーン２と絶縁板３の取付け孔２a及び筒状の突起３aと対応する貫通孔５aを有している。
貫通孔５aを中心とした左右上下対称の位置にねじ用の穴を有しており、この穴を介してLED光源基板６とLEDカバー７が共締め固定される。
また、反射板５は中央部に向かって台形状に凸部を有しており、この凸部にLED光源基板６を取り付けることでLED光源基板６の熱を放熱して冷却する役割を果たす。
【００１４】
LED光源基板６は、円周上の複数列にLED素子を複数個有している。LED素子は昼光色LEDを有する。昼光色LEDはピーク波長430〜460nmの昼光色光を発光することを特徴とする。なお、LED素子はこれに限られるものではない。
LED光源基板６は電源基板４と電線により接続され、プルスイッチ９及び電源基板４から発光に係る制御により、例えば点灯、消灯、電流値の調整による調光が行われる。プルスイッチ９による点灯状態の切り替えは順々に繰り返される。
【００１５】
LEDカバー７は、円形の板面を有し、板面上にはLED素子の配列に対応したレンズ機能を持つ凸部を複数有している。また、円形の板面の側面には反射板５の台形状の凸部に沿う壁面を有しており、LED光源基板６との絶縁の役割を果たす。また、LEDカバー７の板面部の外径と内径の中央に位置する円周上にねじ穴を有しており、LED光源基板６とともに反射板５にねじにより共締め固定される。
【００１６】
透光カバー８は、バックボーン２の外周部に合わさり、径方向に回転させることで、透光カバー８の凸部が受け具(図示省略)と嵌合し、着脱可能に取付けられる。透光カバー８は光を拡散させる効果があり、まぶしさの軽減や、空間にムラなく光を広げる効果がある。
【００１７】
プルスイッチ９は、バックボーン２にねじで固定され、電源基板４に電線で接続される。プルスイッチ９は引金具９aを有し、引金具９aを引っ張ることでLED光源基板６の点灯状態を切り替えることができる。
【００１８】
プルスイッチカバー１０は、カバー部１０ａとアーム部１０ｂと引き紐通過穴１０ｃと四角穴１０ｄとを有する。カバー部１０ａはプルスイッチカバー１０における一端側、引き紐通過穴１０ｃは他端側に位置する。アーム部１０ｂはカバー部１０ａと引き紐通過穴１０ｃの間に位置する。図４に示すように、バックボーン２の四角穴２bに差し込まれ、バックボーン２とねじで固定される。プルスイッチカバー１０を四角穴２bに差し込むことで、四角穴２ｂを塞ぐカバーとしての機能を有する。これにより、防虫構造をも有することとなる。また、図５に示すように、プルスイッチカバー１０は、プルスイッチ９を格納するための機能を有するカバー部１０aと、プルスイッチ９の引金具９aに接続されバックボーン２の四角穴２b及びプルスイッチカバー１０の引き紐通過穴１０cを通過する引き紐１１を作用させるためのスイッチアームの機能を有するアーム部１０bとを有する。
【００１９】
本実施形態では、プルスイッチ９を格納するための機能を有するカバー部１０aとは、バックボーン２にあいている四角穴２bをカバー部１０aで塞ぐことで、プルスイッチ９をバックボーン２と放熱板５との間に格納する部分を有するという意味である。ただし、カバー部１０aは、プルスイッチ９の一部又は全部を格納する機能を有していればよく、例えば、カバー部１０aのみでプルスイッチ９を格納するような構造でもよい。
【００２０】
引き紐１１を作用させるためのスイッチアームの機能を有するアーム部１０ｂとは、プルスイッチ９の引金具９aに接続され引き紐通過穴１０cを通過する引き紐１１が引っ張られる時に、アーム部１０bが支点となり、引き紐１１を作用させるという意味である。
【００２１】
引き紐１１を床側に引っ張ると、プルスイッチカバー１０の引き紐通過穴１０cを通っている引き紐１１はアーム部１０bが支点となり、外周方向を向いているプルスイッチ９の引金具９aが引っ張られ、点灯状態を切り替えることができる。また、図６に示すように、プルスイッチカバー１０は組立時の引き紐通過確認用の四角穴１０dとプルスイッチカバー１０に天井側へ力が加わった場合に強度を保つための保持部１０eを有する。引き紐組立時に引き紐通過確認用の四角穴１０dから引き紐１１が見えるように組み立てることで引き紐１１の通過確認が可能となり、組立性の向上及び誤組立を低減できる。保持部１０eはバックボーン２の外周側の平面に接しているため、プルスイッチカバー１０に天井側へ力が加わったとき、保持部１０eが支えとなり、強度を向上することができる。
【００２２】
引き紐１１は、プルスイッチ９の引金具に接続され、バックボーン２の開口部２bを通り、本体外へ出て、プルスイッチカバー１０の引き紐通過穴１０cを介して、床面側へ垂らされる。プルスイッチ９の引金具９aに延長された、引き紐１１を引っ張ることで、プルスイッチ９のスイッチが切り替わり、LED光源基板６の点灯状態を切り替えることができる。
【００２３】
なお、本発明は、前記実施形態に限定されるものではなく、その技術的思想の範囲内で種々の改造及び変更が可能であり、本発明はこれら改造及び変更された発明にもおよぶことは勿論である。
【符号の説明】
【００２４】
１    LED照明装置
２    バックボーン
２a   取付け孔
２b   開口部
３    絶縁板
３a   筒状の突起
４    電源基板
５    反射板
５a   貫通孔
６    光源基板
７    LEDカバー
８    透光カバー
９    プルスイッチ
９a   引金具
１０  プルスイッチカバー
１０a カバー部
１０b アーム部
１０c 引き紐通過穴
１０d 四角穴
１０e 保持部
１１  引き紐
【図１】
2019129101.tif 000003
【図２】
2019129101.tif 000004
【図３】
2019129101.tif 000005
【図４】
2019129101.tif 000006
【図５】
2019129101.tif 000007
【図６】
2019129101.tif 000008